(57)【特許請求の範囲】
【請求項１】
配管用の支持金具を、２組のボルト及びナットを用いて建物の壁に固定するための取付具であって、
建物の壁に固定されるベース部と、
前記ベース部の表面から、壁から離れる方向に向かって突出して設けられ、突出方向に沿って前記２本のボルトが貫通可能な長孔を有するとともに、前記長孔と外部とを連通しかつ前記ボルトが通過可能な溝が形成された取付部と、
を備え、
前記取付部の溝は、前記取付部の突出する側から前記ベース部に向かって斜めに傾斜している、
配管支持金具の取付具。
【請求項２】
前記取付部に前記２本のボルトが装着された状態において、前記長孔の前記２本のボルトの間には前記長孔に突出する突起が形成されている、
請求項１に記載の配管支持金具の取付具。
【請求項３】
前記ベース部及び前記取付部は、帯状プレート部材を折り曲げ加工により形成されたものである、請求項１又は２に記載の配管支持金具の取付具。
【発明の詳細な説明】
【技術分野】
【０００１】
本発明は、取付具、特に、配管用の支持金具を、少なくとも１対のボルト及びナットを用いて建物の壁等に固定するための取付具に関する。
【背景技術】
【０００２】
マンションや戸建ての建物の壁にエアコン等の配管を支持するために、配管支持金具及びその取付具が用いられる（例えば特許文献１）。配管支持金具は、配管の外周を囲むように形成された円形のバンド部と、このバンド部から径方向に突出する締着部と、を備えている。そして、締着部には、例えば２対のボルト及びナットが仮組み付けされており、このボルト及びナットによって締着部、ひいては配管支持金具全体が取付具に固定される。
【０００３】
一方で、取付具は、横方向に延びる板状のベース部と、ベース部に直交してベース部表面から突出する取付部を有している。取付部には長孔が形成されており、この長孔に、配管支持金具の２本のボルトを通し、これらのボルトにナットを締め付けることにより、取付部に配管支持金具が固定される。なお、ベース部には、両端部に貫通孔が形成されており、この貫通孔を通過する固定部材により、取付具自体が建物の壁等に固定されるようになっている。
【特許文献１】特開平１０−２２０６４７号公報
【発明の開示】
【発明が解決しようとする課題】
【０００４】
前述のような配管支持金具及び取付具を建物に固定する場合は、まず、取付具を建物の壁等に固定する。一方で、配管支持金具のボルト及びナットを取り外し、円形のバンド部に配管を通す。そして、この状態で、配管支持金具の締着部を取付具の取付部に当て、ボルト及びナットにより配管及び配管支持金具を取付具に固定する。これにより、配管が建物の壁等に支持されることになる。
【０００５】
以上のような作業を行う際に、配管支持金具に当初仮組み付けされていたボルト及びナットをいったん配管支持金具から取り外す必要がある。そして、配管支持金具に配管を通した状態で、これらを取付具が設けられている位置まで持って行き、先のボルト、ナットを再度締め付ける必要がある。
【０００６】
しかし、取付具は高所に取り付けられている場合が多く、はしごを使った作業が多いために、配管支持金具の締着部を取付具の取付部に当ててボルトにナットを締め付ける作業が困難になる。このため、特にナットを頻繁に落下させてしまうことになり、必要以上に多数のナットを用意しておく必要がある。
【０００７】
本発明の課題は、配管支持金具を取付具に取り付ける作業を容易化するとともに、必要以上のナットを用意することなく配管を建物の壁等に取り付けることができるようにすることにある。
【課題を解決するための手段】
【０００８】
請求項１に係る取付具は、配管用の支持金具を、２組のボルト及びナットを用いて建物の壁に固定するための金具であり、ベース部と取付部とを備えている。ベース部は建物に固定される。取付部は、ベース部の表面から、壁から離れる方向に向かって突出して設けられ、突出方向に沿って２本のボルトが貫通可能な長孔を有するとともに、長孔と外部とを連通しかつボルトが通過可能な溝が形成されている。また、取付部の溝は、取付部の突出する側からベース部に向かって斜めに傾斜している。
【０００９】
この取付具を用いて配管を建物に固定する場合は、まず取付具を建物の壁に固定しておく。そして、配管支持金具に配管を装着し、この状態で、配管支持金具のボルト及びナットを仮組み付けしておく。そして、配管及び配管支持金具を取付具の位置まで持って行き、ボルトにナットを仮組み付けしたまま、ボルトを取付具の溝を通して取付部の溝に挿入する。その後、ナットを締め込み、配管支持金具及び配管を取付具に強固に固定する。
【００１０】
ここでは、取付具の取付部には、外部から長孔に続く溝が形成されているので、配管支持金具のボルト及びナットを仮組み付けしたまま、すなわち、ボルトからナットを取り外すことなく、配管支持金具及び配管を取付具に装着することができる。したがって、取付作業中にナットが落下することはなく、作業が容易になるとともに、必要以上のナットの使用を抑えることができる。また、建物に取り付けられた取付具の外側（建物から離れている側）から内側に向かって溝が傾斜しているので、配管支持金具のボルトをスムーズに取付具の長孔に導き入れることができる。
【００１１】
請求項２に係る取付具は、請求項１の取付具において、取付部に２本のボルトが装着された状態において、長孔の２本のボルトの間には長孔に突出する突起が形成されている。
【００１２】
ここでは、２本のボルトを長孔内に挿入した状態で、それらの間には突起が存在している。すなわち、突起が形成された部分の溝幅が他の部分に比較して狭くなっている。このため、長孔内でボルトが移動しにくくなり、締め付け前の状態が安定し、固定のための締め付け作業がより容易になる。
【００１３】
請求項３に係る取付具は、請求項１又は２に記載の取付具において、ベース部及び取付部は、帯状プレート部材を折り曲げ加工により形成されたものである。この場合は、取付具の製造が容易になる。
【発明の効果】
【００１４】
以上のような本発明では、配管支持金具に配管を通し、かつ配管支持金具のボルト及びナットを仮組み付けしたままの状態で、配管支持金具を取付具に取り付けることができるので、配管支持金具を取付具に固定するための作業が容易になる。しかも、作業中のナットの落下がなくなるので、必要以上のナットを用意する必要がなくなる。
【発明を実施するための最良の形態】
【００１５】
図１に本発明の一実施形態による配管支持金具１及び取付具２を示す。配管支持金具１にはエアコン等の配管が装着され、取付具２は建物の壁等に固定される。
【００１６】
配管支持金具１は帯状の板金をプレス加工等により形成されたものである。この配管支持金具１は、ほぼ円形でＣ字状のバンド部５と、環状両端部から径方向外方に延びる１対の締着部６と、を有している。バンド部５の幅方向中央には、外方に突出する凸部５ａがプレス加工により形成されている。１対の締着部６には、それぞれ２つの貫通孔が形成されており、これらの貫通孔には、それぞれボルト７が貫通するとともに、ボルト７にはナット８が仮組み付けされている。
【００１７】
取付具２は、図１及び図２に示すように、配管支持金具１と同様に、２枚の帯状の板金を折り曲げ加工し、これらをスポット溶接や接着剤等により固定して形成されたものである。この取付具２は、建物の壁（図示せず）に沿って配置されるベース部１０と、ベース部１０の表面から、表面に対して直交するように突出して形成された取付部１１とを有している。
【００１８】
ベース部１０には、左右にそれぞれ１つずつの貫通孔１０ａ，１０ｂが形成されており、図示しない固定用のビス等がこの貫通孔１０ａ，１０ｂを貫通し、建物の壁等にねじ込まれる。
【００１９】
取付部１１には、突出方向に長い長孔１１ａが形成されている。この長孔１１ａの長さは配管支持金具１の２本のボルト７のピッチ（間隔）より長く、また長孔１１ａの幅はボルト７の径より大きく形成されている。また、この取付部１１には長孔１１ａと外部（長孔１１ａの外）とを連通する溝１１ｂが形成されている。この溝１１ｂはボルト７が通過可能な幅を有している。また、この溝１１ｂは取付部１１の先端側からベース部１０に向かって傾斜するように形成されている。
【００２０】
さらに、この取付部１１において、長孔１１ａと溝１１ｂとの境界部に対向する位置に、突起１１ｃが形成されている。この突起１１ｃは、配管支持金具１が取付具２に装着された状態で、２本のボルト７の間に位置するように配置されている。なお、この突起１１ｃは、長孔１１ａの縁部から内側に突出しているが、突起１１ｃに対向する部分には溝１１ｂが形成されているので、ボルト７はこの突起１１ｃを越えて長孔１１ａ内に配置されることが可能である。
【００２１】
また、取付部１１において、溝１１ｂの先端側の壁において、外側縁との境界部１１ｄは曲面になっており、溝１１ｂ内にボルト７を挿入するときの引っかかりを少なくしている。さらに、同様に溝１１ｂの先端側の壁において、内側縁との境界部には長孔１１ａ内部に突出する突起１１ｅが形成されている。この突起１１ｅは、後述するが、突起１１ｃと同様の目的で形成されたものである。
【００２２】
次に、以上の配管支持金具１及び取付具２を用いて配管を建物の壁等に固定する作業について説明する。
【００２３】
まず取付具２を建物の壁等に固定しておく。一方、配管支持金具１のナット８を取り外し、配管を配管支持金具１のバンド部５内に挿入する。なお、ナット８を取り外すことなく配管をバンド部５内に挿入して、配管支持金具１のバンド部５に配管を支持させることも可能である。
【００２４】
次に、配管支持金具１のバンド部５内に配管を取り付けた状態で、かつボルト７及びナット８を仮組み付けした状態で、配管支持金具１及び配管を取付具２が固定された場所に持って行く。このとき、配管支持金具１において、１対の締着部６の間に、取付具２の取付部１１の厚み以上の隙間を確保しておくことが必要である。
【００２５】
以上のような状態で、配管支持金具１の１対の締着部６で取付具２の取付部１１を挟むようにして、配管支持金具１の２本のボルト７のうちの先端側（外側）のボルト７を溝１１ｂに挿入する。すなわち、ボルト７のうちの、１対の締着部６の間の部分が溝１１ｂに挿入されることになる。そして、ボルト７を溝１１ｂに沿って長孔１１ａ内に挿入し、長孔１１ａの奥に押し込む。次に、配管支持金具１のもう一方のボルト７を、溝１１ａに挿入し、これを長孔１１ａにおいて、突起１１ｃより先端側に配置する。
【００２６】
以上のようにして２本のボルト７が長孔１１ａ内に挿入された状態では、長孔１１ａの先端側に位置しているボルト７は、突起１１ｃ及び１１ｅにより移動が規制される。したがって、ボルト７にナット８を締め付けない状態においても、取付具２に対する配管支持金具１の位置が安定する。
【００２７】
次に、ナット８を締め付けて、配管支持金具１の締着部６を取付具２の取付部１１に強固に固定する。これにより、配管支持金具１に支持された配管が、取付具２を介して建物の壁等に固定される。
【００２８】
［他の実施形態］
(a)前記実施形態では、取付具として、ベース部と取付部とがＴ字形状に形成されているものを例にとって説明したが、取付具の形状はこれに限定されない。例えば、ベース部から取付部とは逆側にねじ足が形成されているような形状の取付具においても、本発明を適用できる。
【００２９】
(b)前記実施形態では、取付具を２枚の帯状の板金を折り曲げ加工して形成したものを例にとって説明したが、取付具はこのような構成に限定されるものではない。例えば、１枚の帯状の板金を折り曲げ加工して取付具を形成しても良い。また、金型による樹脂成型品で取付具を構成してもよい。
【図面の簡単な説明】
【００３０】
【図１】本発明の一実施形態による配管支持金具及び取付具の外観斜視図。
【図２】前記取付具の側面図。
【符号の説明】
【００３１】
１  配管支持金具
２  取付具
６  締着部
７  ボルト
８  ナット
１０  ベース部
１１  取付部
１１ａ  長孔
１１ｂ  溝
１１ｃ  突起
【図１】
0004695161.tif 000002
【図２】
0004695161.tif 000003